(57)【要約】      （修正有）【課題】撮像手段を備えた電子情報機器を用いて画像撮影する場合に、電子情報機器の姿勢を安定した状態で保持するとともに、縦置き状態、横置き状態で保持することが可能な電子情報機器支持台を提供する。【解決手段】載置面に載置される基台３０と、電子情報機器を着脱可能に保持する保持台１０と、一端側が電子情報機器の保持側とは反対側で保持台に折りたたみ可能に連結され、他端側が基台に折り畳み可能に連結され、基台から立ち上がり保持台を支持する支持脚２０と、を備え、保持台が、基台に載置された被写体である原稿の像を電子情報機器に向けて集光させる貫通孔を有し、貫通孔が基台の中心部の上方に配置されるように、基台の中心部からオフセットして支持される。【選択図】図７
0003184483.tif 000002
【実用新案登録請求の範囲】
【請求項１】
載置面に載置される基台と、
電子情報機器を着脱可能に保持する保持台と、
一端側が前記電子情報機器の保持側とは反対側で前記保持台に折りたたみ可能に連結され、他端側が前記基台に折り畳み可能に連結され、前記基台から立ち上がり前記保持台を支持する支持脚と、を備え、
前記保持台が、前記基台に載置された被写体の像を前記電子情報機器に向けて集光させる貫通孔を有し、前記貫通孔が前記基台の中心部の上方に配置されるように、前記基台の中心部からオフセットして支持される、
ことを特徴とする電子情報機器支持台。
【請求項２】
前記保持台が前記基台の上方で前記電子情報機器を前記載置面に対して平行に保持する縦置き支持状態と、前記載置面に前記保持台の一端側と前記基台の一端側を載置して、前記電子情報機器を前記載置面に対して斜めに保持する横置き支持状態とのいずれかの支持状態を選択可能である、
ことを特徴とする請求項１に記載の電子情報機器支持台。
【請求項３】
前記横置き支持状態が、載置面に前記保持台の一端側と前記基台の一端側を載置して、前記電子情報器を保持する第１の支持状態と、載置面に前記保持台の一端側と隣接する他の一端側と前記基台の一端側と隣接する他の一端側を載置して、前記電子情報器を保持する第２の支持状態とのいずれかの支持状態を選択可能である、
ことを特徴とする請求項２に記載の電子情報機器支持台。
【考案の詳細な説明】
【技術分野】
【０００１】
本考案は、電子情報機器支持台に関する。
【背景技術】
【０００２】
環状に形成され、その内面に一方の端面から携帯型電子機器の一部が挿入して保持されるスタンド本体と、スタンド本体の径方向外側に突出形成され、先端に向かって幅寸法が短くなる側面を有する脚部と、を具備し、スタンド本体の他方の端面が第１接地面、脚部の側面が第２接地面となり携帯型電子機器を縦置き状態、横置き状態で指示することが可能な携帯型電子機器用スタンドが知られている（特許文献１）。
【先行技術文献】
【特許文献】
【０００３】
【特許文献１】特開２０１０−５６９６９号公報
【考案の概要】
【考案が解決しようとする課題】
【０００４】
本考案は、撮像手段を備えた電子情報機器を用いて画像撮影する場合に、電子情報機器の姿勢を安定した状態で保持するとともに、縦置き状態、横置き状態で保持することが可能な電子情報機器支持台を提供することを目的とする。
【課題を解決するための手段】
【０００５】
前記課題を解決するために、請求項１記載の電子情報機器支持台は、
載置面に載置される基台と、
電子情報機器を着脱可能に保持する保持台と、
一端側が前記電子情報機器の保持側とは反対側で前記保持台に折りたたみ可能に連結され、他端側が前記基台に折り畳み可能に連結され、前記基台から立ち上がり前記保持台を支持する支持脚と、を備え、
前記保持台が、前記基台に載置された被写体の像を前記電子情報機器に向けて集光させる貫通孔を有し、前記貫通孔が前記基台の中心部の上方に配置されるように、前記基台の中心部からオフセットして支持される、
ことを特徴とする。
【０００６】
請求項２記載の考案は、請求項１記載の電子情報機器支持台において、
前記保持台が前記基台の上方で前記電子情報機器を前記載置面に対して平行に保持する縦置き支持状態と、前記載置面に前記保持台の一端側と前記基台の一端側を載置して、前記電子情報機器を前記載置面に対して斜めに保持する横置き支持状態とのいずれかの支持状態を選択可能である、
ことを特徴とする。
【０００７】
請求項３記載の考案は、請求項２記載の電子情報機器支持台において、
前記横置き支持状態が、載置面に前記保持台の一端側と前記基台の一端側を載置して、前記電子情報器を保持する第１の支持状態と、載置面に前記保持台の一端側と隣接する他の一端側と前記基台の一端側と隣接する他の一端側を載置して、前記電子情報器を保持する第２の支持状態とのいずれかの支持状態を選択可能である、
ことを特徴とする。
【考案の効果】
【０００８】
本考案によれば、撮像手段を備えた電子情報機器を用いて画像撮影する場合に、電子情報機器の姿勢を安定した状態で保持するとともに、縦置き状態、横置き状態で支持することができる。
【図面の簡単な説明】
【０００９】
【図１】（ａ）は電子情報機器支持台の保持台及び支持脚側に視点を置いた斜視図、（ｂ）は折りたたんだ状態の電子情報機器支持台の保持台側に視点を置いた斜視図である。
【図２】（ａ）は電子情報機器支持台の保持台及び基台側に視点を置いた斜視図、（ｂ）は電子情報機器支持台の基台側に視点を置いた底面斜視図である。
【図３】（ａ）〜（ｅ）は、電子情報機器支持台の組み立て方法を段階的に示す組み立て工程図である。
【図４】（ａ）〜（ｅ）は、使用可能状態の電子情報機器支持台の折りたたみ方法を段階的に示す折りたたみ工程図である。
【図５】電子情報機器Ｐを保持した電子情報機器支持台の縦置きでの使用状態を示す斜視図である。
【図６】（ａ）は電子情報機器支持台１の保持台１０側に視点を置いた平面図、（ｂ）は基台３０側に視点を置いた底面図である。
【図７】（ａ）は電子情報機器支持台を横置きにして電子情報機器Ｐと原稿を保持した第１の支持状態を示す使用状態を示す図、（ｂ）は電子情報機器支持台を横置きにして電子情報機器Ｐと原稿を保持した第２の支持状態を示す使用状態を示す図である。
【図８】電子情報機器支持台を横置きにして電子情報機器Ｐと原稿を保持した使用態様の一例を示す図である。
【考案を実施するための形態】
【００１０】
次に図面を参照しながら、以下に実施形態及び実施例を挙げ、本考案を更に詳細に説明するが、本考案はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１１】
（１）電子情報機器支持台の全体構成
図１（ａ）は電子情報機器支持台の保持台及び支持脚側に視点を置いた斜視図、（ｂ）は折りたたんだ状態の電子情報機器支持台の保持台側に視点を置いた斜視図である。図２（ａ）は電子情報機器支持台の保持台及び基台側に視点を置いた斜視図、（ｂ）は電子情報機器支持台の基台側に視点を置いた底面斜視図である。
【００１２】
本実施形態に係る電子情報機器支持台１（以下スタンド１と記す）は、例えば、電子情報機器Ｐの一例としてＣＣＤカメラを搭載する携帯情報端末により画像撮影を行う場合に用いられる折りたたみスタンドである。
スタンド１は、載置面に載置される基台３０と、電子情報機器Ｐを着脱可能に保持する保持台１０と、保持台１０と基台３０を折りたたみ可能に連結して支持する支持脚２０と、からなる。
【００１３】
（１．１）基台
基台３０は、電子情報機器Ｐにより画像撮影される被写体を載置する本体部３１と、本体部３１の一端側で本体部３１と一体に折り曲げ可能に形成された連結部３２と、本体部３１の他の一端側で本体部３１と一体に折り曲げ可能に形成された固定部３３とからなり、本体部３１、連結部３２及び固定部３３は一枚のシート材により一体的に形成されている。
【００１４】
本体部３１は、表面側（保持台１０側）に被写体として、例えばＡ４原稿や、見開き状態の書籍等が載置されるために、矩形の平板とされている。大きさは特に限定されないが、Ａ４サイズ（２１０ｍｍ×２９７ｍｍ）の原稿が載置される面積を有することが好ましい。
【００１５】
連結部３２は、本体部３１の長辺側に、３２Ａを折れ線として一体として折り曲げ可能に形成され、支持脚２０の一端をスタンド１の折りたたみ方向と直交する方向（Ｘ方向）に移動可能に案内する案内ガイドとして機能する。
そのために、連結部３２には、後述する支持脚２０と連結するための止め具Ｗが設けられている。
【００１６】
固定部３３は、本体部３１の短辺側に、３３Ａを第１の折れ線、３３Ｂを第２の折れ線として一体として折り曲げ可能に形成され、後述する支持脚２０にスタンド１の折りたたみ方向と交差する方向に一体として折り曲げ可能に形成された下側支柱２１ａを係止部材で固定する。
具体的には、固定部３３が雄ホック３３ａ又は雌ホック３３ｂを備え、下側支柱２１ａは雌ホック３３ｂ又は雄ホック３３ａを備え、雌ホック３３ｂに設けられた係止部材と雄ホック３３ａに設けられたフック部とが係合可能、かつ着脱可能に固定される。
【００１７】
（１．２）支持脚
支持脚２０は、一端に基台３０の連結部３２と連結される長穴２３が形成された下側支持脚２１と、一端側に保持台１０と連結されるフラップ２２ｂが一体に折り曲げ可能に形成された上側支持脚２２とからなる。
【００１８】
支持脚２０は、２０Ａを折れ線として下側支持脚２１と上側支持脚２２が一体として折り曲げ可能に形成され、更に折れ線２０Ａと直交する方向の２０Ｂを折れ線として下側支柱２１ａ、上側支柱２２ａが一体として折り曲げ可能に形成されている。
すなわち、支持脚２０は、スタンド１の折りたたみ方向に折り曲げ可能な下側支持脚２１と上側支持脚２２とが一枚のシート材により一体的に形成され、下側支持脚２１と上側支持脚２２にはスタンド１の折りたたみ方向と直交する方向にそれぞれ下側支柱２１ａ、上側支柱２２ａが形成されている。
【００１９】
下側支持脚２１の一端側には基台３０の連結部３２と連結される長穴２３が形成され、止め具Ｗを用いてスタンド１の折り曲げ方向と直交（Ｘ方向）する方向に長穴２３の長径の範囲内で移動可能に連結される。
【００２０】
下側支柱２１ａの一端側には、雌ホック３３ｂ又は雄ホック３３ａが設けられ、基台３０の固定部３３に設けられた雄ホック３３ａ又は雌ホック３３ｂと係合することにより、支持脚２０が基台３０に固定される。
【００２１】
上側支持脚２２の一端側にはフラップ２２ｂが一体に折り曲げ可能に形成され、保持台１０の裏面１０ｂと連結される。フラップ２２ｂと保持台１０の裏面１０ｂとの連結は特に限定されるものではないが、接着剤等を用いて接着することで、スタンド１を折りたたんだ状態で突起部等が形成されず好ましい。
【００２２】
上側支柱２２ａの端部には切欠き突起部２２ｃが形成され、後述する保持台１０に形成された嵌合孔１１ｂと嵌めこみ係合される。
上側支柱２２ａの折り曲げ内側面の一端には雌ホック３３ｂ又は雄ホック３３ａが設けられ、スタンド１を折りたたんだ状態で基台３０の固定部３３に設けられた雄ホック３３ａ又は雌ホック３３ｂと係合することにより、スタンド１が折りたたみ状態で保持される。
【００２３】
（１．３）保持台
保持台１０は、電子情報機器Ｐを保持する載置面１１と、載置面１１の四隅に立設され、電子情報機器Ｐの水平方向（Ｘ−Ｚ方向）の位置を規制する位置決め壁１２からなる。
保持台１０は、載置面１１と位置決め壁１２が一枚のシート材により一体として形成され、位置決め壁１２は載置面１１の端面から折れ線１１Ａ、１１Ｂで折り曲げて立設された壁部１２ａ、１２ｂ同士を接着して形成される。
【００２４】
載置面１１の一端部には、基台３０に載置された被写体の像を電子情報機器Ｐのカメラレンズに向けて集光させる貫通孔１１ａが設けられている。貫通孔１１ａの載置面１１における位置は、使用される電子情報機器Ｐのカメラレンズ位置によって決定される。
また、載置面１１には、支持脚２０の上側支柱２２ａの端部に形成された切欠き突起部２２ｃが嵌めこみ係合される嵌合孔１１ｂが形成されている。
【００２５】
（２）電子情報機器支持台の組み立て及び折りたたみ
（２．１）電子情報機器支持台の組み立て
図３（ａ）〜（ｅ）は、スタンド１の組み立て方法を段階的に示す組み立て工程図である。
スタンド１は、基台３０の本体部３１の上面に載置された被写体を、保持台１０にセットされた電子情報機器Ｐにより画像撮影を行う場合に、折りたたみ状態から支持脚２０を基台３０から立ち上げて保持台１０を支持する。以下、図３を参照しながら、スタンド１の折りたたみ状態からの組み立て方法を説明する。
【００２６】
図３（ａ）は、支持脚２０が折りたたまれた状態を示す。この折りたたまれた状態から、まず、基台３０の固定部３３に備えられた雌ホック３３ｂを外し（図３（ｂ））、保持台１０を上方に引き起こす。
支持脚２０は、２０Ａを折れ線として下側支持脚２１と上側支持脚２２が一体として折り曲げ可能に形成されているために、Ｚ形の途中状態（図３（ｃ））を経て、支持脚２０として基台３０から立ち上がる。
【００２７】
次に、２０Ｂを折れ線として下側支柱２１ａ、上側支柱２２ａを基台３０の本体部３１の内側へ折り曲げて（図３（ｄ）矢印Ａ参照）、上側支柱２２ａの端部に形成された切欠き突起部２２ｃを保持台１０の載置面１１に形成された嵌合孔１１ｂと嵌めこみ係合する（図３（ｄ））。
そして、支持脚２０を基台３０の連結部３２を案内ガイドとして水平方向（Ｘ方向）にスライドさせる（図３（ｄ）矢印Ｂ参照）とともに、下側支柱２１ａの雄ホック３３ａと基台３０の固定部３３に設けられた雌ホック３３ｂとを係合することにより、支持脚２０が基台３０に固定され、スタンド１として使用状態となる（図３（ｅ））。
【００２８】
使用状態となったスタンド１の載置面１１に電子情報機器Ｐをセットすると、保持台１０の四隅に立設された位置決め壁１２で位置が規制されて、載置面１１に設けられた貫通孔１３を通して、基台３０の本体部３１に載置された被写体の撮影を行うことができる。
【００２９】
（２．２）電子情報機器支持台の折りたたみ
図４（ａ）〜（ｅ）は、使用可能状態のスタンド１の折りたたみ方法を段階的に示す折りたたみ工程図である。以下、図４を参照しながら、スタンド１の使用可能状態からの折りたたみ方法を説明する。
【００３０】
図４（ａ）は、支持脚２０が基台３０から立ち上った使用可能状態を示す。この使用可能状態から、まず、基台３０の固定部３３に備えられた雌ホック３３ｂを外し（図４（ｂ））、支持脚２０を基台３０の連結部３２を案内ガイドとして水平方向（Ｘ方向）にスライドさせる（図４（ｂ）矢印Ｃ参照）とともに、下側支柱２１ａ、上側支柱２２ａを基台３０の連結部３２側へ開く（図４（ｂ）矢印Ｄ参照）。
【００３１】
支持脚２０は、２０Ａを折れ線として下側支持脚２１と上側支持脚２２が一体として折り曲げ可能に形成されているために、Ｚ形の途中状態（図４（ｃ））を経て、支持脚２０が折りたたまれ、基台３０の本体部３１の上に折りたたまれた支持脚２０と保持台１０が重ね合わされる（（図４（ｄ））。
【００３２】
そして、上側支柱２２ａに設けられた雄ホック３３ａを、基台３０の固定部３３に設けられた雌ホック３３ｂと係合することにより、支持脚２０が基台３０に固定され、スタンド１は折りたたみ状態となる（図４（ｅ））。
【００３３】
折りたたみ状態となったスタンド１の載置面１１には電子情報機器Ｐをセットして、折りたたまれたスタンド１とともに持ち運ぶことができる。また、この状態で市販のケースに収納して持ち運ぶこともできる。
【００３４】
（３）電子情報機器支持台の使用形態
（３．１）縦置き
図５は、電子情報機器Ｐを保持したスタンド１の縦置きでの使用状態を示す斜視図である。図５に示すように、スタンド１に電子情報機器Ｐをセットして、基台３０の本体部３１に被写体として原稿を載置して、原稿情報を撮影することができる。
被写体としては、シート原稿に限られず、厚みのある見開いた状態の本であっても撮影することができる。
すなわち、被写体を基台３０の本体部３１に載置して、下側支持脚２１と下側支柱２１とへ突き当てることにより被写体の位置が規制されて、画像情報が保持台１０の載置面１１に形成された貫通孔１１ａを介して電子情報機器Ｐのカメラレンズ部へ集光され、カメラ機能を備えた電子情報機器によって撮影される。
【００３５】
電子情報機器Ｐは、スタンド１の保持台１０の載置面１１にセットされ、四隅を位置決め壁１２で位置が規制され安定した状態で保持される。そのために、電子情報機器Ｐを手で保持して被写体を撮影する場合に比して、ぶれることなく歪が少ない撮影を容易に行うことができる。
特に、厚みが厚い本を見開いて撮像する場合にも、見開いた本が安定した状態で保持され、ぶれることなく歪が少ない撮像を容易に行うことができる。
【００３６】
載置面１１に形成される貫通孔１１ａは、カメラ機能を備えた電子情報機器Ｐのカメラレンズ位置に対応して設けられる。そのために、カメラ機能を備えた携帯情報端末であれば、タブレット型の携帯情報端末のみならず、より小型のスマートフォンに代表される携帯端末機器であっても、位置決め壁１２で位置が規制され安定した状態で保持され、電子情報機器Ｐを手で保持して被写体を撮像する場合に比して、ぶれることなく歪が少ない撮像を容易に行うことができる。
【００３７】
（３．２）横置き
図６（ａ）はスタンド１の保持台１０側に視点を置いた平面図、（ｂ）は基台３０側に視点を置いた底面図である。図７（ａ）はスタンド１を横置きにして電子情報機器Ｐと原稿を保持した第１の支持状態を示す使用状態を示す図、（ｂ）はスタンド１を横置きにして電子情報機器Ｐと原稿を保持した第２の支持状態を示す使用状態を示す図である。
【００３８】
図６（ａ）、（ｂ）に示すように、スタンド１は、載置面１１に形成された貫通孔１１ａが基台３０の本体部３１の中央部の上方に配置されるように、載置面１１が基台３０の本体部３１の中心部から支持脚２０側にオフセットして支持されている。
【００３９】
スタンド１を構成する基台３０、電子情報機器Ｐを着脱可能に保持する保持台１０及び保持台１０と基台３０を折りたたみ可能に連結して支持する支持脚２０が、それぞれ一枚のシート材により一体的に形成されている。シート材の材質としては、ポリプロピレン樹脂等の合成樹脂や紙が挙げられ、スタンド１は全体が軽量に構成される。
【００４０】
その結果、載置面１１の一端を成す位置決め壁１２の壁部１２ａと、基台３０の一端を成す固定部３３を載置面に載置して第１の支持状態（横置き状態）とすることができる（図７（ａ）参照）。
また、載置面１１の一端を成す位置決め壁１２の壁部１２ａと隣接する壁部１２ｂ、１２ｂと、基台３０の一端を成す固定部３３と隣接する連結部３２を載置面に載置して第２の支持状態（横置き状態）とすることもできる（図７（ｂ）参照）。
【００４１】
そのために、横置き状態にしたスタンド１に電子情報機器Ｐと原稿を保持して、スタンド１全体を、例えば机上を載置面として載置することができ、使用場所及び使用態様の制約を受けにくくなる（図８参照）。
【００４２】
尚、いずれの使用状態にあっても、折りたたみ状態となったスタンド１においては、載置面１１に電子情報機器Ｐをセットした状態で、載置面１１の四隅に立設された位置決め壁１２で電子情報機器Ｐが保持され、折りたたまれたスタンド１とともに持ち運ぶことができる。また、この状態で市販のケースに収納して持ち運ぶこともできる。
【符号の説明】
【００４３】
１・・・電子情報機器支持台
１０・・・保持台
１１・・・載置面
１１ａ・・・貫通孔
１１ｂ・・・嵌合孔
１２・・・位置決め壁
１２ａ、１２ｂ・・・壁部
２０・・・支持脚
２１・・・下側支持脚
２１ａ・・・下側支柱
２２・・・上側支持脚
２２ａ・・・上側支柱
２２ｂ・・・フラップ
２２ｃ・・・切欠き突起部
２３・・・長穴
３０・・・載置台
３１・・・本体部
３２・・・連結部
３３・・・固定部
３３ａ・・・雄ホック
３３ｂ・・・雌ホック
１１Ａ、１１Ｂ、２０Ａ、２０Ｂ、３２Ａ、３３Ａ、３３Ｂ・・・折れ線
Ｐ・・・電子情報機器
【図１】
0003184483.tif 000003
【図２】
0003184483.tif 000004
【図３】
0003184483.tif 000005
【図４】
0003184483.tif 000006
【図５】
0003184483.tif 000007
【図６】
0003184483.tif 000008
【図７】
0003184483.tif 000009
【図８】
0003184483.tif 000010